(57)【要約】【課題】本発明は上記問題点を解消し、開放時に縮小した伸縮門扉５のキャスター１０が上記壁面にぶつからないように回動させた状態で開口部Ｐを実質的に最大にする。【解決手段】塀などの仕切り壁１、２の壁面に支柱３、４を直付けし、一方の支柱３に伸縮門扉５の吊元側の回転柱７をヒンジ金具１１を介して回動自在に支持し、開放時には縮小した伸縮門扉５を開閉方向に対して直角に回動可能とした伸縮門扉５の支持構造において、上記ヒンジ金具１１のヒンジピン１８を上記支柱３、４と回転柱７との突合せ部から伸縮門扉５の開閉方向に対して直角の方向に離間する位置に配置し、開放時に伸縮門扉５の下部に取りつけたキャスター１０が上記壁面に当らないようにした【選択図】        図４
2004257133.tif 000002
【特許請求の範囲】
【請求項１】
塀などの壁面に２本の支柱を直付けし、一方の支柱に伸縮門扉の吊元側の回動柱をヒンジ金具を介して回動自在に支持し、開放時には縮小した伸縮門扉を開閉方向に対して直角に回動可能とした伸縮門扉の支持構造において、
上記ヒンジ金具のヒンジピンを上記支柱と支持部材との突合せ部から伸縮門扉の開閉方向に対して直角の方向に離間する位置に配置し、開放時に伸縮門扉の下部に取りつけたキャスターが上記壁面に当らないようにしたことを特徴とする伸縮門扉の支持構造。
【請求項２】
前記ヒンジ金具のヒンジピンを回動自在に支持する２枚の羽根は直角に屈曲形成され、基部側の部分を前記支柱と回転柱の外側面に固定した、請求項１記載の伸縮門扉の支持構造。
【発明の詳細な説明】
【０００１】
【発明の属する技術分野】
本発明は、壁面に対して直交するように配置された伸縮門扉において、開放時に縮小した伸縮門扉のキャスターが上記壁面にぶつからないように回動させる伸縮門扉の支持構造に関する。
【０００２】
【従来技術とその問題点】
一般に、門扉は塀の一部に開口形成された出入口の両内側に支柱を立設し、これらの支柱に開閉自在に設けられている。支柱の基部は地中に埋設され、コンクリートで固められて固定されるのが通常である（例えば、特許文献１参照）。したがって、支柱の取り付けには、地中に穴を掘る作業、地中に支柱の基部を埋め、コンクリートで固めるなどの作業が必要となるので、天候に左右されやすく、工期が長くなり、熟練が要求されるほか、次のような問題がある。
【０００３】
すなわち、支柱を埋める穴は支柱の大きさよりもかなり大きく、穴の一方の端部は塀の下まで掘ることはできず、せいぜい塀の端部に揃えて掘り下げる程度であり、支柱は穴の中心に埋めるものであるから、必然的に支柱は塀から少し離間した位置に配置せざるを得ず、塀の端面に当接するほど接近して設置することはできない。
【０００４】
ところで、最近はマンションなどの大型の集合住宅が増加してきた事情もあり、塀などの仕切り壁の壁面に直交するように門扉を設ける例が増加している。特に、開口部分が大きく、長い門扉が要求されている。
【０００５】
【特許文献１】
特開平１０−８８９４７号公報
ところが、塀などの壁面に直交する門扉として、従来方式の門扉を設置しようとすると、手数がかかり、工期が長いので、コストアップの要因となるほか、上述のように支柱は壁面から離隔する構造になる。門扉の開口は最大でも支柱間の距離であるから、このような構造では開口が狭くなってしまうという問題がある。この問題を解消するためには、支柱を壁面に直付けするのがよい。これにより、地面に穴を掘ったり、支柱をコンクリートで閉じたりする作業が不要となり、コストダウンも図ることができるとともに、開口も十分に大きくとることができる。
【０００６】
また、長い門扉としては、伸縮門扉が最適である。伸縮門扉の下部の１ケ所又は２、３ヶ所にはキャスターが付いている。各キャスターは伸縮門扉の両側に１対ずつ設けられ、またそれぞれは伸縮門扉の外側方にはみ出すように配置されて伸縮門扉を安定に直立させることができるように構成されている。そして、キャスターで開閉方向に走行させて伸縮門扉を伸縮させることにより、支柱間の開口部を開閉するものであるが、開口幅をより大きくとるため、開放時には縮めた伸縮門扉をさらに吊元側で回動させることができるようになっている。
【０００７】
【発明が解決しようとする課題】
しかしながら、壁面に直付けした支柱に伸縮門扉を取りつけた場合、開放時に縮小した伸縮門扉を回動させると、各キャスターは伸縮門扉の外方に突出しているから、図５に示されるように、キャスター１０が壁１に当って開口幅を最大にした状態のとき、伸縮門扉５は斜めの状態になっているから、実質的には開口幅を最大にしたことにはならない。また、キャスターが壁に繰り返し当ると、壁が汚れたり傷ついたり、キャスターが破損したりするおそれがある。
【０００８】
本発明は上記問題点を解消し、開放時に縮小した伸縮門扉のキャスターが上記壁面にぶつからないように回動させた状態で開口部を実質的に最大にすることができる伸縮門扉の支持構造を提供することをその課題とする。
【０００９】
【課題を解決するための手段】
前記課題を解決するため、本発明に係る伸縮門扉の支持構造は、塀などの壁面に支柱を直付けし、該支柱に伸縮門扉の吊元側の回動柱をヒンジ金具を介して回動自在に支持し、開放時には縮小した伸縮門扉を開閉方向に対して直角に回動可能とした伸縮門扉の支持構造において、上記ヒンジ金具のヒンジピンを上記支柱と支持部材との突合せ部から伸縮門扉の開閉方向に対して直角の方向に離間する位置に配置し、開放時に伸縮門扉の下部に取りつけたキャスターが上記壁面に当らないようにしたことを特徴とする。
【００１０】
なお、前記ヒンジ金具のヒンジピンを回動自在に支持する２枚の羽根は直角に屈曲形成され、基部側の部分を前記支柱と回転柱の外側面に固定するのが好ましい。
【００１１】
【発明の実施の形態】
図１は集合住宅などのコンクリート製の仕切り壁１、２に形成した開口部Ｐに伸縮門扉５を開閉自在に設けた例で、図２に示されるように、開口部Ｐの両側の壁面には支柱３、４が直付け固定され、両支柱３、４間には伸縮門扉５が配置されている。伸縮門扉５は、戸先側の移動柱６と吊元側の回転柱７の間に複数の枠形縦格子８を平行に設け、これらを伸縮可能なパンタグラフ９で支持するとともに、戸先側と中間にキャスター１０を取りつけたものである。
【００１２】
伸縮門扉５の吊元側の回転柱７は一方の支柱３にヒンジ金具１１を介して回動自在に支持されている。伸縮門扉５の戸先側の移動柱６は他方の支柱４に当接可能に設けられている。そして、開口部Ｐを開閉するときは、伸縮門扉５は縦格子８が平行移動しながら伸縮するように構成され、開口部Ｐを閉じるときは、図１のように伸縮門扉５が伸長して移動柱６が上記他方の柱４に当接し、開口部Ｐを開くときは、図２のように伸縮門扉５が縮小して移動柱６が吊元側に移動するとともに、最大に縮小した状態でさらに上記ヒンジ金具１１を中心に開閉方向に対して直角に回動して開口部Ｐを広くとることができるようになっている。
【００１３】
キャスター１０はアーム１０ａを介して伸縮門扉５の外側方に突出するように取りつけられ、伸縮門扉５を安定に支持している。
【００１４】
次に、伸縮門扉５の吊元側の端部は直付けの支柱３に支持されている。すなわち、図４に示されるように、支柱３は、断面コ字形の本体３ａと、該本体３ａと一体に結合される扉受け部３ｂとから構成され、コ字形本体３ａは仕切り壁１、２の壁面にボルト１２で固定されている。扉受け部３ｂは両側に開口部Ｐの中央側に突出する凸部１３を形成し、その反対側に本体３ａの両側に嵌めこまれる連結縁１４を形成したもので、本体３ａの両側片１５と扉受け部３ｂの連結縁１４とをボルト、ナット等の締結手段２１で固定することによって一体に結合している。
【００１５】
上記支柱３には、回転柱７がヒンジ金具１１を介して取りつけられている。ヒンジ金具１１は上記支柱３と回転柱７の突合せ部の一側（屋敷側）に取り付けられている。
【００１６】
ヒンジ金具１１は２枚の連結羽根１６、１７と両連結羽根１６、１７の先端に回動自在に取りつけられたヒンジピン１８とから構成されている。連結羽根１６、１７は固定部１６ａ、１７ａと張出し部１６ｂ、１７ｂとから直角に屈曲形成され、張出し部１６ｂ、１７ｂの先端には筒部が形成されている。ヒンジピン１８は両連結羽根１６、１７の筒部に収納されて両連結羽根１６、１７を連結している。なお、屈曲部の外側には鈎形の係止片１９が形成されている。
【００１７】
上記ヒンジ金具１１は、一方の連結羽根１６の係止片１９を扉受け部３ｂの係止縁２０に係止させた状態で固定部１６ａを支柱３の扉受け部３ｂの側面にボルト、ナット等の締結手段２１で固定する。同様にして、他方の連結羽根１７を伸縮門扉５の回転柱７にも固定される。なお、回転柱７の連結羽根取り付け部は支柱３のものと対称に形成されている。これにより、ヒンジ金具１１の連結羽根１６、１７の張出し部１６ｂ、１７ｂは、上記支柱３、４と回転柱７との突合せ部から伸縮門扉５の開閉方向に対して直角の方向（屋敷内側）に突出し、ヒンジピン１８は回転柱７の側面から離間する位置に配置される。
【００１８】
上記構成において、伸縮門扉５を縮小して開き作動した後、伸縮門扉５をさらに直角に回動させる。このとき、図４に示されるように、回動中心はヒンジ金具１１のヒンジピン１８となり、直角に回動させたとき、ヒンジピン１８が支柱３、４と回転柱７との突合せ部から離間した距離分、つまり連結羽根１６、１７の張出し部１６ｂ、１７ｂの幅分だけ開口部Ｐの中央側に寄って回り込む。このため、回動後の伸縮門扉５の側面とコンクリートの壁面との間には空間部Ｓが形成され、この空間部Ｓに伸縮門扉５のキャスター１０が収まる。このため、キャスター１０は仕切り壁１の壁面には当らないから、開口部Ｐは実質的に最大となる。
【００１９】
また、壁やキャスター１０が傷ついたり破損したりすることがない。
【００２０】
【発明の効果】
請求項１に係る発明によれば、ヒンジ金具のヒンジピンを上記支柱と支持部材との突合せ部から伸縮門扉の開閉方向に対して直角の方向に離間する位置に配置し、開放時に伸縮門扉の下部に取りつけたキャスターが上記壁面に当らないようにしたので、伸縮門扉を縮小して開き作動した後、伸縮門扉をヒンジピンを中心にして直角に回動させたとき、ヒンジピンが離間した距離分だけ支柱間開口部の中央側に寄って回り込む。このため、回動後の伸縮門扉の側面とコンクリートの壁面との間には空間部が形成され、この空間部に伸縮門扉のキャスターが収まる。このため、キャスターは壁面には当らないから、開口部は実質的に最大となる。
【００２１】
また、壁やキャスターが傷ついたり破損したりすることがない。
【００２２】
請求項２に係る発明によれば、ヒンジ金具を、ヒンジピンを支持する２枚の羽根を直角に屈曲形成しただけの簡単な構造により、基部側の部分を前記支柱と支持部材の外側面に固定しただけで、ヒンジピンを上記支柱と回転柱との突合せ部から伸縮門扉の開閉方向に対して直角の方向に離間する位置に配置することができる。
【図面の簡単な説明】
【図１】本発明に係る伸縮門扉の正面図
【図２】上記伸縮門扉の開扉時で回動前の状態の平面図
【図３】上記伸縮門扉を開扉してさらに回動させた時の状態の平面図
【図４】上記伸縮門扉の開扉時の吊元側の拡大平面図
【図５】従来の伸縮門扉の回動例を示す平面図
【符号の説明】
３  支柱
５  伸縮門扉
１０  キャスター
１１  ヒンジ金具
１８  ヒンジピン
【図１】
2004257133.tif 000003
【図２】
2004257133.tif 000004
【図３】
2004257133.tif 000005
【図４】
2004257133.tif 000006
【図５】
2004257133.tif 000007